(57)【要約】【課題】使用者の掃除、メンテナンス時間の軽減ができるとともに、高所作業の場合には、安全性も高めることができる送風装置を提供することを目的とする。【解決手段】  内部にファン２を備えて建物に取り付けられる本体３と、ルーバー５が本体３に取り付け、または取り外しされたことによるその状態変化を検知するマイクロスイッチ４と、ファン２の運転時間を積算する積算手段８と、マイクロスイッチ４が検知した前記状態変化を記憶する記憶手段１１とを備え、ファン２への通電が断電された場合に、積算手段８および記憶手段１１の状態を保持する２次電池１２を備えるとともに、断電により２次電池１２が積算手段８および記憶手段１１の状態を保持した後、ルーバー５が本体３に取り付けられた場合、積算手段８の状態をリセットする構成とする。【選択図】図２
2006097957.tif 000002
【特許請求の範囲】
【請求項１】
内部にファンを備えて建物に取り付けられる本体と、ルーバーが前記本体に取り付け、または取り外しされたことによるその状態変化を検知する検知手段と、前記ファンの運転時間を積算する積算手段と、前記検知手段が検知した前記状態変化を記憶する記憶手段とを備え、前記ファンへの通電が断電された場合に、前記積算手段および前記記憶手段の状態を保持する２次電池を備えるとともに、前記断電により前記２次電池が前記積算手段および前記記憶手段の状態を保持した後、前記ルーバーが前記本体に取り付けられた場合、前記積算手段の状態をリセットすることを特徴とする送風装置。
【請求項２】
前記２次電池の代わりに電気二重層コンデンサを備えたことを特徴とする請求項１に記載の送風装置。
【請求項３】
内部にファンを備えて建物に取り付けられる本体と、ルーバーが前記本体に取り付け、または取り外しされたことによるその状態変化を検知する検知手段と、前記ファンの運転時間を積算する積算手段と、前記検知手段が検知した前記状態変化を記憶する記憶手段とを備え、メンテナンスをしたときに作業者が操作するロータリースイッチと、このロータリースイッチの状態を記憶する記憶手段とを備え、メンテナンス後の前記ロータリースイッチの状態と前記記憶手段が記憶していたメンテナンス前の前記ロータリースイッチの状態とを比較して変化があった場合には、前記ファンの運転積算時間をリセットすることを特徴とする送風装置。
【請求項４】
前記ファンへの通電が断電された場合は、前記２次電池が前記積算手段および前記記憶手段の状態を保持した後、前記検知手段、前記積算手段、および前記記憶手段を備える制御部がスイープ状態となることを特徴とする請求項１または２に記載の送風装置。
【請求項５】
内部にファンを備えて建物に取り付けられる本体と、前記ファンの回転数を検知する検知手段と、前記ファンの運転時間を積算する積算手段とを備え、あらかじめ設定された回転数と前記検知手段が検知した回転数とを比較判定した結果に基づいて、前記積算手段の状態をリセットすることを特徴とする送風装置。
【請求項６】
前記ファンの回転数を検知する検知手段の代わりに、前記ファンの電流を検知する検知手段を備えたことを特徴とする請求項５に記載の送風装置。
【請求項７】
前記ファンの回転数を検知する検知手段の代わりに、前記ファンの風量を検知する検知手段を備えたことを特徴とする請求項５に記載の送風装置。
【請求項８】
内部にファンを備えて建物に取り付けられる本体と、空気に含まれるほこりやちりを取り除くためのフィルターと、前記フィルターの目詰まりを検出する検出手段と、前記ファンの運転時間を積算する積算手段とを備え、前記検知手段が検知した目詰まりの度合い結果に基づいて、前記積算手段の状態をリセットすることを特徴とする送風装置。
【請求項９】
内部にファンを備えて建物に取り付けられる本体と、前記ファンの運転時間を積算する積算手段と、前記積算手段を遠隔操作によりリセットするための受光検知部とを備え、前記受光検知部が信号を受信することにより、前記積算手段の状態をリセットすることを特徴とする送風装置。
【請求項１０】
内部にファンを備えて建物に取り付けられる本体と、空気に含まれるほこりやちりを取り除くためのフィルターと、前記フィルターの一方側に形成した切り欠きと、前記フィルターの存在を検知する検知部とを備え、前記フィルターの掃除、交換等の前後において、前記フィルターの前記本体への取り付け方向を変更することにより、前記検知部が前記フィルターの取付状態が変化したことを検知した場合は、前記積算手段の状態をリセットさせることを特徴とする送風装置。
【請求項１１】
前記フィルターの掃除、交換等の前後において、前記フィルターの前記本体への取り付け方向が変更されなかった場合、そのことを使用者に知らしめる報知部を備えたことを特徴とする請求項１０に記載の送風装置。
【発明の詳細な説明】
【技術分野】
【０００１】
本発明は、建物に取り付けられ、掃除やメンテナンスを行う時に電源を切る場合がある送風装置に関する。
【背景技術】
【０００２】
従来、この種の送風装置は、掃除、メンテナンス等を行う場合、常に電源が入った状態になっている。また電源が切れていた場合においても、建物に取り付けられていないため、終了時には、送風装置の前面および内部に強制リセットスイッチが設けてあり、それを押すことでリセットする構造となっていた（例えば、特許文献１参照）。以下、その送風装置としての空気調和機について図８を参照しながら説明する。
【０００３】
空気調和機の本体１０１の中には、熱交換器１０２とこれに空気を通風させる１０３が設置され、本体１０１の下方に設けられた吸気口（図示せず）より外気を取り入れているようになっている。前記吸気口とファンモーター１０３の間には外気とともに本体１０１に侵入してくるほこりやちり（図示せず）を取り除くためのフィルター１０４が設けてある。本体１０１の上方には、ファンモーター１０３とリード線で接続されている制御装置１０６が設置されている。この制御装置１０６の内部には、ファンモーター１０３の運転時間を積算するカウンター（図示せず）とフィルターサイン表示ランプ１０８および強制タイムアップ用操作スイッチ１０７が設置されている。さらに、前記カウンター、フィルターサイン表示ランプ１０８、強制タイムアップ用操作スイッチ１０７、およびコントローラー（図示せず）が制御装置１０６に接続され、室内に備えられている。このような構成の送風装置において、使用者がフィルター１０３の掃除を行い、さらにその場でカウントをリセットして再スタートさせようとする場合は、制御タイムアップ用操作スイッチ１０７のリセット操作を行うというものであった。
【特許文献１】特開平０１−２１０７３２号公報
【発明の開示】
【発明が解決しようとする課題】
【０００４】
このような従来の送風装置では上方、内部にリセットＳＷが備えられているため、比較的簡単にリセットすることが可能であるが、この従来の送風装置が建物に据え付けられている場合には、比較的高所に設置されることが多いため、掃除終了後にルーバー等を開けてリセットを行うことは、非常に手間がかかり危険をともなうという課題があった。
【０００５】
本発明は、このような従来の課題を解決するもので、使用者の掃除、メンテナンス時間の軽減ができるとともに、高所作業の場合には、安全性も高めることができる送風装置を提供することを目的とする。
【課題を解決するための手段】
【０００６】
上記課題を解決するために本発明の送風装置は、内部にファンを備えて建物に取り付けられる本体と、ルーバーが前記本体に取り付け、または取り外しされたことによるその状態変化を検知する検知手段と、前記ファンの運転時間を積算する積算手段と、前記検知手段が検知した前記状態変化を記憶する記憶手段とを備え、前記ファンへの通電が断電された場合に、前記積算手段および前記記憶手段の状態を保持する２次電池を備えるとともに、前記断電により前記２次電池が前記積算手段および前記記憶手段の状態を保持した後、前記ルーバーが前記本体に取り付けられた場合、前記積算手段の状態をリセットすることを特徴とする。
【０００７】
また、本発明の送風装置は、前記２次電池の代わりに電気二重層コンデンサを備えたことを特徴とする。
【０００８】
また、本発明の送風装置は、内部にファンを備えて建物に取り付けられる本体と、ルーバーが前記本体に取り付け、または取り外しされたことによるその状態変化を検知する検知手段と、前記ファンの運転時間を積算する積算手段と、前記検知手段が検知した前記状態変化を記憶する記憶手段とを備え、メンテナンスをしたときに作業者が操作するロータリースイッチと、このロータリースイッチの状態を記憶する記憶手段とを備え、メンテナンス後の前記ロータリースイッチの状態と前記記憶手段が記憶していたメンテナンス前の前記ロータリースイッチの状態とを比較して変化があった場合には、前記ファンの運転積算時間をリセットすることを特徴とする。
【０００９】
また、本発明の送風装置は、前記ファンへの通電が断電された場合は、前記２次電池が前記積算手段および前記記憶手段の状態を保持した後、前記検知手段、前記積算手段、および前記記憶手段を備える制御部がスイープ状態となることを特徴とする。
【００１０】
また、本発明の送風装置は、内部にファンを備えて建物に取り付けられる本体と、前記ファンの回転数を検知する検知手段と、前記ファンの運転時間を積算する積算手段とを備え、あらかじめ設定された回転数と前記検知手段が検知した回転数とを比較判定した結果に基づいて、前記積算手段の状態をリセットすることを特徴とする。
【００１１】
また、本発明の送風装置は、前記ファンの回転数を検知する検知手段の代わりに、前記ファンの電流を検知する検知手段を備えたことを特徴とする。
【００１２】
また、本発明の送風装置は、前記ファンの回転数を検知する検知手段の代わりに、前記ファンの風量を検知する検知手段を備えたことを特徴とする。
【００１３】
また、本発明の送風装置は、内部にファンを備えて建物に取り付けられる本体と、空気に含まれるほこりやちりを取り除くためのフィルターと、前記フィルターの目詰まりを検出する検出手段と、前記ファンの運転時間を積算する積算手段とを備え、前記検知手段が検知した目詰まりの度合い結果に基づいて、前記積算手段の状態をリセットすることを特徴とする。
【００１４】
また、本発明の送風装置は、内部にファンを備えて建物に取り付けられる本体と、前記ファンの運転時間を積算する積算手段と、前記積算手段を遠隔操作によりリセットするための受光検知部とを備え、前記受光検知部が信号を受信することにより、前記積算手段の状態をリセットすることを特徴とする。
【００１５】
また、本発明の送風装置は、内部にファンを備えて建物に取り付けられる本体と、空気に含まれるほこりやちりを取り除くためのフィルターと、前記フィルターの一方側に形成した切り欠きと、前記フィルターの存在を検知する検知部とを備え、前記フィルターの掃除、交換等の前後において、前記フィルターの前記本体への取り付け方向を変更することにより、前記検知部が前記フィルターの取付状態が変化したことを検知した場合は、前記積算手段の状態をリセットさせることを特徴とする。
【００１６】
また、本発明の送風装置は、前記フィルターの掃除、交換等の前後において、前記フィルターの前記本体への取り付け方向が変更されなかった場合、そのことを使用者に知らしめる報知部を備えたことを特徴とする。
【発明の効果】
【００１７】
以上のように本願発明の換気装置によれば、掃除、メンテナンス等終了時には、ファンの積算時間を自動でリセットができるため、使用者の掃除、メンテナンス時間の軽減ができるとともに、高所作業の場合には、安全性も高めることができる。
【発明を実施するための最良の形態】
【００１８】
請求項１記載の送風装置の発明は、内部にファンを備えて建物に取り付けられる本体と、ルーバーが前記本体に取り付け、または取り外しされたことによるその状態変化を検知する検知手段と、前記ファンの運転時間を積算する積算手段と、前記検知手段が検知した前記状態変化を記憶する記憶手段とを備え、前記ファンへの通電が断電された場合に、前記積算手段および前記記憶手段の状態を保持する２次電池を備えるとともに、前記断電により前記２次電池が前記積算手段および前記記憶手段の状態を保持した後、前記ルーバーが前記本体に取り付けられた場合、前記積算手段の状態をリセットすることを特徴とするものであり、掃除、メンテナンス等の終了時には、ファンの積算時間が自動でリセットされることにより、使用者などの掃除、メンテナンス時間の軽減ができるとともに、高所の場合においては、安全性も高めることができる。
【００１９】
請求項２記載の発明は、請求項１に記載の送風装置において、前記２次電池の代わりに電気二重層コンデンサを備えたことを特徴とするものであり、長寿命の充電池を使用することにより、使用者の電池交換等の付帯業務を軽減することができる。
【００２０】
請求項３記載の送風装置の発明は、ルーバーが前記本体に取り付け、または取り外しされたことによるその状態変化を検知する検知手段と、前記ファンの運転時間を積算する積算手段と、前記検知手段が検知した前記状態変化を記憶する記憶手段とを備え、メンテナンスをしたときに作業者が操作するロータリースイッチと、このロータリースイッチの状態を記憶する記憶手段とを備え、メンテナンス後の前記ロータリースイッチの状態と前記記憶手段が記憶していたメンテナンス前の前記ロータリースイッチの状態とを比較して変化があった場合には、前記ファンの運転積算時間をリセットすることを特徴とするものであり、メンテナンスが行われたことを機械的な構成で知らせることができるので補助電池等が要らなくなり、使用者に低価格な商品を提供することができる。
【００２１】
請求項４記載の発明は、請求項１または２に記載の送風装置において、前記ファンへの通電が断電された場合は、前記２次電池が前記積算手段および前記記憶手段の状態を保持した後、前記検知手段、前記積算手段、および前記記憶手段を備える制御部がスイープ状態となることを特徴とするものであり、制御部がスイープ状態になると制御部で消費される消費電流が少なくなるため、２次電池, 電気二重層コンデンサから使用される消費電流が通常使用状態より少なくなるため、掃除,メンテナンス等の時間を長時間にすることができる。
【００２２】
請求項５記載の送風装置の発明は、前記ファンの回転数を検知する検知手段を備え、あらかじめ設定された回転数と前記検知手段が検知した回転数とを比較判定した結果に基づいて、前記積算手段の状態をリセットすることを特徴とするものであり、送風に必要な電気エネルギーを節約性に優れた送風装置を提供することができる。
【００２３】
請求項６記載の発明は、請求項５に記載の送風装置において、前記ファンの回転数を検知する検知手段の代わりに、前記ファンの電流を検知する検知手段を備えたことを特徴とするものであり、電流を検知するだけで、ファンの積算時間を自動でリセットする作用を有し、ファンの種類にとらわれない送風装置を提供することができる。
【００２４】
請求項７記載の発明は、請求項５に記載の送風装置において、前記ファンの回転数を検知する検知手段の代わりに、前記ファンの風量を検知する検知手段を備えたことを特徴とするものであり、風量を検知するだけで、ファンの積算時間を自動でリセットする作用を有し、ファンの種類にとらわれない送風装置を提供することができる。
【００２５】
請求項８記載の送風装置の発明は、空気に含まれるほこりやちりを取り除くためのフィルターと、前記フィルターの目詰まりを検出する検出手段と、前記ファンの運転時間を積算する積算手段とを備え、前記検知手段が検知した目詰まりの度合い結果に基づいて、前記積算手段の状態をリセットすることを特徴とするものであり、フィルターのメンテナンスが確実に行われたときには、積算時間がリセットされることにより、使用者の無駄な掃除、メンテナンスの時間を削減することができる。
【００２６】
請求項９記載の送風装置の発明は、内部にファンを備えて建物に取り付けられる本体と、前記ファンの運転時間を積算する積算手段と、前記積算手段を遠隔操作によりリセットするための受光検知部とを備え、前記受光検知部が信号を受信することにより、前記積算手段の状態をリセットすることを特徴とするものであり、使用者は遠隔機能操作を行うことにより、容易にファンの積算時間をリセットすることができる。
【００２７】
請求項１０記載の送風装置の発明は、空気に含まれるほこりやちりを取り除くためのフィルターと、前記フィルターの一方側に形成した切り欠きと、前記フィルターの存在を検知する検知部とを備え、前記フィルターの掃除、交換等の前後において、前記フィルターの前記本体への取り付け方向を変更することにより、前記検知部が前記フィルターの取付状態が変化したことを検知した場合は、前記積算手段の状態をリセットさせることを特徴とするものであり、作業者にフィルターの取り付け方向を変更するように促すだけで、使用者に低価格な送風装置を提供することができる。
【００２８】
請求項１１記載の発明は、請求項１０に記載の送風装置において、前記フィルターの掃除、交換等の前後において、前記フィルターの前記本体への取り付け方向が変更されなかった場合、そのことを使用者に知らしめる報知部を備えたことを特徴とするものであり、ファンの積算時間をリセットすることを忘れないように防止機能がついた送風装置をて提供することができる。
【００２９】
以下、本願発明の実施の形態について図１〜図７を参照しながら説明する。
【００３０】
（実施の形態１）
本発明の送風装置の一例として、建物内の室内壁に設けられた換気扇を例にとり説明する。
【００３１】
図１に示すように、内部にファンモーター１により駆動されるファン２を設けた本体３を建物の室内壁部４に設け、本体３には、ファン２を保護するルーバー５が設けられている。このルーバー５は、本体３に対して脱着可能な構成であり、ルーバー５には、空気に含まれるほこりやちり等を取り除くためのフィルター６が備えられている。本体３の外部には、ルーバー５の脱着を検出する検知手段としてのマイクロスイッチ７を備え、本体３には、ファンモーター１の運転時間を積算する積算手段８と、積算手段８で積算された運転時間とあらかじめ設定された積算時間とを比較して判定する判定手段９と、判定手段９の結果を表示する表示手段１０と、マイクロスイッチ７の入り状態を記憶する記憶手段１１とが備えられている。本体３の電源ＯＦＦ時に、積算手段８、判定手段９、記憶手段１１のそれぞれの状態を保持する２次電池１２を備え、この２次電池１２は、本体３の電源ＯＦＦ時のみに動作されるように構成されている。
【００３２】
上記構成において、換気扇の動作を図２に示すフローチャートを用いて説明する。
【００３３】
換気扇のファン２を運転するために電源が投入されると（ステップ１）、ファンモーター１の運転が開始され（ステップ２）、ファンモーター１の運転時間の積算が積算手段８により開始される（ステップ３）。判定手段９により、ファンモーター１の運転時間の積算値があらかじめ決められた規定値に達するかどうかが判定され（ステップ４、５）、積算時間が規定値に到達すると、表示手段１０が使用者にフィルター６の交換、掃除を促すサインを表示する。積算時間が規定値にまだ到達していないときは、引き続きステップ４、５により判定が続行される。そして、表示手段１０の表示を受けて使用者が掃除、メンテナンス等で本体３の電源をＯＦＦにすると（ステップ７）、２次電池が動作し（ステップ８）、現状のマイクロスイッチ７の状態を検出し（ステップ９）、使用者がルーバー５を外した場合、マイクロスイッチ７がルーバー５から外れるため、マイクロスイッチ７の状態が切り状態に変化し（ステップ１０）、再びマイクロスイッチ７の切り状態を記憶手段１１に記憶する（ステップ１１）。掃除、メンテナンス等が終了し、ルーバー５を本体３に装着するとマイクロスイッチ７が切り状態から入り状態になる（ステップ１２）ため、再度記憶手段１１に記憶し（ステップ１３）、掃除、メンテナンス等が完了したと判断してファンモーター１の運転時間（積算時間）をリセットし（ステップ１４）、フィルターサインの表示を通常の状態に戻すこととなる。使用者が本体３に電源を入れると、再度ファンモーター１の運転時間を積算することとなる。
【００３４】
以上のように構成した本体３は、本体３の電源をＯＦＦしたとしても掃除、メンテナンス等の終了後には、ファンモーター１の運転時間（積算時間）を自動でリセットすることができるため、使用者の掃除、メンテナンス等の時間を軽減することができる。
【００３５】
次に、２次電池１２の代りに長寿命の充電池を使用する構成を説明する。
【００３６】
この長寿命の充電池とは、電気二重層コンデンサである（例えば、松下電器製、ゴールドキャパシタ）。このコンデンサは, 導体を電解液に浸けるとその表面に自然に発生する「電気二重層」と呼ばれる薄い膜を絶縁体として用い、この膜は１分子に相当する厚さしかなく、また実質的な表面積が大きい活性炭を電極に用いているため, きわめて大きな容量が得られため、長寿命に充電できることとなる。
【００３７】
以上のように構成した本体３は、本体３の電源ＯＦＦしたとしても掃除、メンテナンス等の終了後には、ファンモーター１の運転時間（積算時間）をリセットすることができるため、使用者の掃除、メンテナンス等の時間を軽減することができる。
【００３８】
また、電気二重層コンデンサを使用することで、使用者の電池交換作業のメンテナンス時間を軽減することができる。
【００３９】
（実施の形態２）
実施の形態２について、図３および図４を参照しながら説明する。なお、実施の形態１と同様の構成要素についてはその説明を省略する。
【００４０】
マイクロスイッチ７の代わりにロータリースイッチ１３を本体３の前面に備え、２次電池、充電池をなくす構成とする。
【００４１】
上記構成において、本実施の形態に係る換気扇の動作を図４に示すフローチャートを用いて説明する。
【００４２】
ステップ１〜ステップ６に至るフローは上述の実施の形態１において図２をもとに説明したものと同様である。ステップ６に続くフローについて以下に説明する。
フィルター６の交換、掃除サインが表示手段１０によって表示され、その表示を受けて使用者が掃除、メンテナンス等で本体３の電源をＯＦＦにすると（ステップ１５）、ロータリースイッチ１３の状態を記憶手段１１の一例であるＥＥＰＲＯＭが記憶する（ステップ１６）。使用者が掃除、メンテナンス等を終了したと判断すると本体３の前面にあるロータリースイッチ１３を１メモリ回すことが行われ、使用者が本体３の電源を入れると（ステップ１７）、ＥＥＰＲＯＭで記憶したロータリースイッチ１３の状態と電源投入後のロータリースイッチ１３の状態を比較し差異が発生した場合（ステップ１８）においては、使用者が掃除、メンテナンス等が完了したと判断してファンモーター１の運転の積算時間をリセットし（ステップ１９）、フィルターサイン表示を通常の状態に戻すこととなる。
【００４３】
以上のように構成した本体３は、本体３の電源ＯＦＦしたとしても掃除、メンテナンス等の終了後には、ファンモーター１の運転の積算時間をリセットすることができるため、使用者の掃除、メンテナンス等の時間を軽減することができる。
【００４４】
また、２次電池、充電池等を使用することなくリセットできるため使用者に低価格の換気扇を提供することができる。
【００４５】
（実施の形態３）
実施の形態３について説明する。実施の形態１と同様の構成要素についてはその説明を省略する。本体３の電源が断電されると２次電池が動作し制御部、例えばマイクロコンピュータ１４が、２次電池の供給電力で保持する構成を備える。制御部とは、マイクロスイッチ７の入り／切り状態を検知し、例えばルーバー５が本体３に装着しているときには検知状態とし、装着されていないときには非検知状態になるとし、モーターの運転時間を積算する積算手段８と、積算手段８の結果を判定する判定手段９と、判定手段９による結果を表示手段１０で表示する機能とを有し、マイクロスイッチ７の状態変化を記憶する記憶手段１１とは常に通信状態となる構成を備えている。また、マイクロスイッチ７の状態が入り状態から切り状態に変更されるとマイクロコンピュータ１４がスイープ状態となる構成とする。スイープ状態とは、マイコンを保持するために必要な機能のみ動作させる状態をいう。
【００４６】
上記構成において、本実施の形態に係る換気扇の動作を図５に示すフローチャートを用いて説明する。ステップ１〜ステップ６に至るフローは上述の実施の形態１において図２をもとに説明したものと同様である。ステップ６に続くフローについて以下に説明する。
【００４７】
使用者が掃除、メンテナンス等のために、本体３の電源を断電すると（ステップ２０）、２次電池、または、長寿命で充電することができる充電池が動作状態になる。掃除、メンテナンス等を行うためルーバー５を取り外すとマイクロスイッチ７が検知状態から非検知状態となり、マイクロスイッチ７の検知信号がマイクロコンピュータ１４に入力される。マイクロコンピュータ１４は、マイクロスイッチ７の検知信号が入力されると現状の状態を記憶手段１１に記憶し、マイクロコンピュータ１４は、スイープ状態（例えば、モード保持状態）となる（ステップ２１）。
【００４８】
使用者が掃除、メンテナンス等を終了し、ルーバー５を本体３に取り付けるとマイクロスイッチ７が検知し、マイクロスイッチ７の検知信号がマイクロコンピュータ１４に入力される（ステップ２２）。マイクロコンピュータ１４に検知信号が入力されるとスイープ状態から通常状態になり掃除、メンテナンス等が完了したと判断してファンモーター１の運転の積算時間をリセットし（ステップ２３）、フィルターサインの表示を通常の状態に戻すこととなる。
【００４９】
以上のように構成した本体３は、本体３の電源をＯＦＦしたとしても掃除、メンテナンス等の終了後には、ファンモーター１の運転の積算時間をリセットすることができるため、使用者の掃除、メンテナンス等の時間を軽減することができる。
【００５０】
また、制御部をスイープ状態にすることで２次電池又は充電池の電力を極力減らすことができるため、省エネ制御ができ、使用者が充電池の残量を気にすることなく掃除、メンテナンス等ができる。
【００５１】
（実施の形態４）
実施の形態４について説明する。なお、実施の形態１および２と同様の構成要素についてはその説明を省略する。
【００５２】
ファンモーター１（例えば、ＤＣモーター）はファン２（例えばプロペラファン）の回転数を検知して検知信号を出力する制御回路（図示せず）と、検知信号の結果を判断する判定手段９と、この判定手段９の結果に基づいてフィルター６の目詰まりを表示する表示手段１０とを備えた構成とする。
【００５３】
上記構成において、本実施の形態に係る換気扇の動作を図６に示すフローチャートを用いて説明する。
【００５４】
使用者が本体３に電源を入れると（ステップ２４）、ＤＣモーターが運転を開始し（ステップ２５）、ファンの回転数が検知されて検知信号を出力し、判定手段９に入力される。
【００５５】
以下ファンとしてプロペラファンを例にとり説明する。回転数は常時判定手段に入力されており、ルーバー５に取り付けられているフィルター６が目詰まりを起こすとプロペラファンの回転数が低下し回転数が低下した信号が判定手段９に入力される。判定手段９であらかじめ設定された規定値以下になると（ステップ２６）、フィルター６が目詰まりをしたと判断してフィルター掃除や、メンテナンス等のサインを表示手段１０に出力する（ステップ２７）。フィルター掃除や、メンテナンス等のサインを受けて使用者が本体３の電源をＯＦＦし、掃除やメンテナンス等を行う。掃除やメンテナンスの終了後、換気扇の電源が入り状態になると、再びＤＣモーターに電気が通電されてファンが回転し検知信号を出力し判定手段９に入力される。判定手段９であらかじめ設定された規定値以上になると（ステップ２８）、掃除、メンテナンス等が完了したと判断して、フィルターサインの表示をリセットして通常の状態に戻すこととなる（ステップ２９）。
【００５６】
なお、上述においてフィルターの汚れをＤＣモーターの電流を用いて判定する検知方法、ＤＣモーターが回転しファンを回転させることで発生する風量を用いて判定する風量検知方法、フィルターの目詰まりを用いて判定する目詰まり検知方法、のいずれの場合においてもセンサー等を利用して表示手段を自動でリセットを行うものである。
【００５７】
以上のように構成した本体３は、本体３の電源をＯＦＦしたとしても掃除、メンテナンス等の終了後には、自動で通常状態に復帰するため使用者の掃除、メンテナンス等の時間を軽減することができる。
【００５８】
また、ＤＣモータを使用することで消費電力を低減することができるため、当然、電気代などの動力料金は安くなり、省エネルギーな換気扇を提案することができる。
【００５９】
（実施の形態５）
実施の形態２に記載のロータリースイッチ１３の代わりに受光検知部（図示せず）を本体３の前面に備え、２次電池、充電池、マイクロスイッチを無くした構成とする。なお、実施の形態２と同様の構成要素についてはその説明を省略する。
【００６０】
上記構成において、ファンモーター１の運転時間（積算時間）が判定手段９の規定値に到達すると、表示手段１０が使用者にフィルター６の交換、掃除サインを表示する。その表示を受けて、使用者が掃除、メンテナンス等で本体３の電源をＯＦＦにする。使用者が掃除、メンテナンス等を終了し、使用者が本体３の電源を入れるとフィルターサインの表示手段が再度点灯しはじめる。使用者がリモコン等で受光検知１５に信号を送るとファンモーター１の運転の積算時間をリセットし、フィルターサインの表示を通常の状態に戻すこととなる。
【００６１】
以上のように構成した本体３は、本体３の電源ＯＦＦしたとしても掃除、メンテナンス等終了後には、ファンモーター１の運転の積算時間を遠隔操作することにより、リセットすることができるため、使用者の掃除、メンテナンス等の時間を軽減することができる。
【００６２】
（実施の形態６）
実施の形態６について図７を参照しながら説明する。なお、実施の形態１、２、および３と同様の構成要素についてはその説明を省略する。
【００６３】
フィルター６はマイクロスイッチを用いる代わりにフィルター６の形状に特徴を持たせる構成である。図７は、ルーバー５の裏面側から見た図であり、フィルター６はルーバー５の裏面に設ける構成であり、フィルター６をルーバー５に取り付ける場合には、上下どちらの方向でもはめ込み可能な構成であり、フィルター６は一方側に切り欠け部、例えば凹形状部を設けるである。ルーバー５には、フィルター６の脱着を検知する検知手段１６（例えばプッシュスイッチ）をルーバー５の上部に設ける構成とする。このプッシュスイッチは、凹形状部内にある場合は非検知であり、そうでない場合は検知を出力することになる。
【００６４】
上記構成において、ファンモーター１の運転の積算時間が判定手段９の規定値に到達すると、表示手段１０が使用者にフィルター６の交換、掃除サインを表示する。その表示を受けて使用者が掃除、メンテナンス等で本体３の電源をＯＦＦにすると検知手段１６の状態を記憶手段１１（例えばＥＥＰＲＯＭ）が記憶する。使用者が掃除、メンテナンス等を終了したと判断すると、使用者は、ルーバー５に取り付けるフィルター６の切り欠き部の方向を掃除やメンテナンスの前の状態から変更する。使用者が本体３の電源を入れるとＥＥＰＲＯＭで記憶したフィルター６の脱着を検知する検知手段１６と電源投入後のフィルター６の脱着を検知する検知手段１６を比較し差異が発生した場合においては、使用者が掃除、メンテナンス等が完了したと判断してファンモーター１の運転の積算時間をリセットし、フィルターサインの表示を通常の状態に戻すこととなる。
【００６５】
以上のように構成した本体３は、本体３の電源ＯＦＦしたとしても掃除、メンテナンス等の終了後には、ファンモーター１の運転の積算時間を自動でリセットすることができるため、使用者の掃除、メンテナンス等の時間を軽減することができる。
【００６６】
また、２次電池、充電池等を使用することなく自動でリセットできるため使用者に低価格の換気扇を提供することができる。
【産業上の利用可能性】
【００６７】
本発明にかかる建物に取り付けられる送風装置は、掃除、メンテナンス等行う場合、自動でモーターの積算時間、フィルターサインを自動でリセットを行うため、高所に取り付けられメンテナンス時などに電源を切ることのある製品において広く有用である。
【図面の簡単な説明】
【００６８】
【図１】本発明の実施形態１の送風装置の取り付け状態を示す側断面図
【図２】同送風装置の運転動作を示すフローチャート
【図３】本発明の実施形態２の送風装置を示す正面図
【図４】同送風装置の運転動作を示すフローチャート
【図５】本発明の実施形態３の送風装置の運転動作を示すフローチャート
【図６】本発明の実施形態４の送風装置の運転動作を示すフローチャート
【図７】本発明の実施形態５の送風装置を示す外観図
【図８】従来の換気装置を示す構成図
【符号の説明】
【００６９】
１      ファンモーター
２      ファン
３      本体
４      室内壁部
５      ルーバー
６      フィルター
７      マイクロスイッチ
８      積算手段
９      判定手段
１０    表示手段
１１    記憶手段
１２    ２次電池
１３    ロータリースイッチ
１４    マイクロコンピュータ
１５    受光検知部
１６    検知手段
【図１】
2006097957.tif 000003
【図２】
2006097957.tif 000004
【図３】
2006097957.tif 000005
【図４】
2006097957.tif 000006
【図５】
2006097957.tif 000007
【図６】
2006097957.tif 000008
【図７】
2006097957.tif 000009
【図８】
2006097957.tif 000010